(57)【要約】【課題】パチンコ玉貸出装置から供給されるパチンコ玉をパチンコ遊技機の玉受け皿に誘導する経路に、パチンコ玉の引っかかりや戻り不良が生じなく、且つ埃や異物が侵入することのないパチンコ玉貸出装置を提供する。【解決手段】パチンコ玉貸出装置の本体部分から延出し、該本体部分から供給されるパチンコ玉９を誘導する誘導路２８と、誘導路２８の端部５６からパチンコ玉９を受け入れる受入部３６を有し、誘導路２８の側壁に設けられたヒンジ４２を介して誘導路２８に回転可能に接続され、誘導路２８から供給されるパチンコ玉９をパチンコ遊技機の玉受け皿に誘導する誘導管３２とを有する、パチンコ玉貸出装置において、受入部３６の上部には、誘導管３２がパチンコ玉９を玉受け皿に誘導するための第１位置から上方に跳ね上げられた予め定める第２位置まで回転することを許容するための切り欠き３８を設ける。【選択図】　図４
2004129774.tif 000002
【特許請求の範囲】
【請求項１】
パチンコ玉貸出装置の本体部分から延出し、該本体部分から供給されるパチンコ玉を誘導する誘導路と、
前記誘導路の端部からパチンコ玉を受け入れる受入部を有し、前記誘導路の側壁に設けられたヒンジを介して前記誘導路に回転可能に接続され、前記誘導路から供給される前記パチンコ玉をパチンコ遊技機の玉受け皿に誘導する誘導管とを有する、パチンコ玉貸出装置において、
前記誘導管の前記受入部における上部には、前記誘導管が前記パチンコ玉を前記玉受け皿に誘導するための第１位置から上方に跳ね上げられた予め定める第２位置まで回転することを許容するための切り欠きが設けられており、
前記誘導管の前記受入部における下部には、前記誘導管が前記第１位置から前記第２位置に到るまで、前記誘導路の前記端部に対して近接した位置をとるように前記本体部分に向かって延在する底部が設けられている、
ことを特徴とする、パチンコ玉貸出装置。
【請求項２】
前記第１位置において、前記誘導管の底面の高さを前記誘導路の底辺の高さに揃えるためのリブ部が前記誘導管に設けられていることを特徴とする、請求項１記載のパチンコ玉貸出装置。
【請求項３】
前記底部が、前記ヒンジを中心とする仮想円の半径にほぼ等しい円弧形状を有することを特徴とする、請求項１記載のパチンコ玉貸出装置。
【請求項４】
前記誘導管が、その先端部に前記誘導管に対して上下方向に移動可能なガイド部を有することを特徴とする、請求項１記載のパチンコ玉貸出装置。
【請求項５】
前記第２位置において、前記誘導管がその回転を規制するための回転止めを有することを特徴とする、請求項１記載のパチンコ玉貸出装置。
【発明の詳細な説明】
【０００１】
【発明の属する技術分野】
本発明は、パチンコ遊技機でゲームを行う場合のパチンコ玉貸出装置に関する。
【０００２】
【従来の技術】
従来より、パチンコ遊技場ではパチンコ遊技機設置島台に列設されたパチンコ遊技機の間に、硬貨を投入すると投入された金額に応じて所定の数のパチンコ玉を供給するパチンコ玉貸出装置が配設されている。その場合、パチンコ遊技機でゲームを行う客は、パチンコ玉貸出装置に硬貨を投入することによりパチンコ玉の貸出を受けることができる。従って、客がパチンコ遊技機を離れて玉貸し場等にパチンコ玉を取りに行く必要無くゲームを行うことができるようにされている。
【０００３】
そのようなパチンコ玉貸出装置は、一般に、パチンコ遊技機の前面とほぼ同一面に面した縦面に設けられており、パチンコ玉貸出装置から供給されたパチンコ玉をパチンコ遊技機の玉受け皿に誘導するための誘導管が備えられている。例えば、特許文献１に開示されているように、パチンコ玉貸出装置から供給されたパチンコ玉を、パイプ体で構成した誘導管にてパチンコ遊技機の玉受け皿に誘導するものが知られている。
【０００４】
【特許文献１】
実開昭６２−１７２４８４号公報（第３図）
【０００５】
【発明が解決しようとする課題】
かりに、遊技中のパチンコ遊技機の盤面にパチンコ玉が引っかかるなど、不良が発生した場合、パチンコ遊技機を点検する必要が出てくる。この時、場合によっては、誘導管内にパチンコ玉が残っている場合がある。この時は、図６に示すように、誘導管７６ヒンジ７２を中心に回転させ、上方に動かすことで、誘導管７６内に残っているパチンコ玉９の重量と、パチンコ玉９を排出するよう押し出す力がバランスして、パチンコ玉９の流れを止める状態を作ることができる。さらに、誘導管７６を、ヒンジ７２を中心として大きく回転させると、図６のような位置で停止可能となる。ところが、図６に示すような位置では、パチンコ玉９が誘導路７４の先端の開口部と誘導管７６の入口部との間で引っかかりを生じ、その結果として、誘導管７６の中でパチンコ玉９の戻り不良を生じる場合があった。又、図６に示す誘導路７４と誘導管７６との間には、どうしても隙間ｄ２が生じ、隙間ｄ２を通して外部から埃や異物が侵入し、誘導路７４や誘導管７６の内側が汚染されるという問題が生じる場合があった。さらに、この埃や異物がパチンコ玉９に付着することも考えられ、埃や異物が付着したパチンコ玉９はそのままパチンコ遊技機の玉受け皿に誘導され、ゲームに用いられることになる。従って、パチンコ遊技機のパチンコ玉の通路全体に埃や異物が付着する可能性があった。
【０００６】
そこで、誘導管７６が上方に回転された場合に誘導路７４の先端の開口部と誘導管７６の入口との間に隙間を生じさせないために、図７に示すように、誘導管８６の形状を変更し、誘導管８６と誘導路８４の先端部との間に隙間が生じないようにする工夫等をすると、誘導管８６が誘導路８４と干渉してしまい、誘導管８６がそれ以上上方まで回転しないという問題が考えられる。また、パチンコ遊技機点検のため、誘導管８６に力を加え、誘導管８６を無理に回転させようとすると、誘導路８４や誘導管８６が破損するという不都合が生じる可能性があった。
【０００７】
従って、本発明の課題は、パチンコ玉貸出装置から供給されるパチンコ玉をパチンコ遊技機の玉受け皿に誘導する経路である誘導路や誘導管にパチンコ玉の引っかかりや戻り不良が生じなく、且つ埃や異物が誘導路や誘導管に侵入することのないパチンコ玉貸出装置を提供することにある。
【０００８】
【課題を解決するための手段及び発明の効果】
上記課題を達成するために、本発明は、パチンコ玉貸出装置の本体部分から延出し、該本体部分から供給されるパチンコ玉を誘導する誘導路と、前記誘導路の端部からパチンコ玉を受け入れる受入部を有し、前記誘導路の側壁に設けられたヒンジを介して前記誘導路に回転可能に接続され、前記誘導路から供給される前記パチンコ玉をパチンコ遊技機の玉受け皿に誘導する誘導管とを有する、パチンコ玉貸出装置において、前記誘導管の前記受入部における上部には、前記誘導管が前記パチンコ玉を前記玉受け皿に誘導するための第１位置から上方に跳ね上げられた予め定める第２位置まで回転することを許容するための切り欠きが設けられており、前記誘導管の前記受入部における下部には、前記誘導管が前記第１位置から前記第２位置に到るまで、前記誘導路の前記端部に対して近接した位置をとるように前記本体部分に向かって延在する底部が設けられている、ことを特徴とする、パチンコ玉貸出装置とする。
【０００９】
このように構成すると、前記誘導管を前記ヒンジ中心に上方へ回転させた場合、前記誘導路の前記端部及び前記誘導管の前記受入部付近に前記パチンコ玉が引っかかることが無い。そのため、前記誘導路の前記端部及び前記誘導管の前記受入部の中にある前記パチンコ玉が詰まるなど戻り不良が生じない。
【００１０】
その際、前記誘導管が前記パチンコ玉を前記玉受け皿に誘導するための第１位置から上方に跳ね上げられた予め定める第２位置に到るまで、前記誘導路の前記端部に対して前記底部が近接した位置を取るようにしているので、前記誘導路の前記端部が前記底部で覆われており前記パチンコ玉が前記誘導路及び前記誘導管の外部に露出しない。そのため、前記端部及び前記誘導管の中へ外部から埃や異物が入ることがない。従って、前記誘導路や前記誘導管の内部及び前記パチンコ玉に埃や異物が付着することがない。
【００１１】
前記第１位置において、前記誘導管の底面の高さを前記誘導路の底辺の高さに揃えるためのリブ部が前記誘導管に設けられているとよい。
それにより、前記誘導路と前記誘導管との間に上下方向に関する所要の落差を設けることができる。又、前記誘導路の底辺の高さが前記誘導管の底面の高さに揃えられているため、前記誘導路から前記誘導管に供給される前記パチンコ玉の流れを滑らかにすることができる。
【００１２】
前記底部が、前記ヒンジを中心とする仮想円の半径にほぼ等しい円弧形状を有するとよい。
そうすると、前記誘導管が前記ヒンジを中心に回転する時前記底部も前記ヒンジを中心とする仮想円に沿って回転するため、前記底部と前記誘導路の前記端部との間の間隔を予め定めた大きさに保つことができる。
【００１３】
前記誘導管が、その先端部に前記誘導管に対して移動可能なガイド部を有するとよい。
それにより、前記誘導管の先端部と前記パチンコ遊技機の前記玉受け皿との間の上下方向の距離が大きい場合には、前記ガイド部を前記誘導管に対して下方に移動させ前記誘導管の先端部の前記ガイド部を前記玉受け皿に近づけることにより、前記パチンコ玉を適切に誘導することができる。また、前記誘導管の先端部と前記パチンコ遊技機の前記玉受け皿との間の上下方向の距離が小さい場合には、前記ガイド部を前記誘導管に対して上方に移動させ前記誘導管の先端部の前記ガイド部を前記玉受け皿から遠ざけることにより、前記パチンコ玉を適切に誘導することができる。
【００１４】
前記第２位置において、前記誘導管がその回転を規制するための回転止めを有するとよい。
そのように構成すると、前記回転止めにより前記誘導管の回転が前記第２位置において停止する。回転角度を充分大きくとるように底部を円弧形状に設計することにより、前記誘導管を充分上方まで回転させることができ、無理に回転させることがなくなる。
【００１５】
【発明の実施の形態】
以下に、本発明の実施形態を、添付図面に基づいて説明する。
図１は、パチンコ遊技機とパチンコ玉貸出装置の関係を示す図である。図２は、本発明によるパチンコ玉貸出装置を示す図である。図３は、図２のＡ−Ａ断面を示す部分断面図である。図４は、図３のＢ−Ｂ断面に沿ったパチンコ玉貸出装置の部分断面図である。
【００１６】
図１に示すように、パチンコ玉貸出装置２２はパチンコ遊技場に設置されたパチンコ遊技機設置島台１０における各パチンコ遊技機１２の間に配設されている。
パチンコ玉貸出装置２２から供給されたパチンコ玉は、通常、パチンコ景品玉用の受け皿１４に投入される。又、パチンコ景品玉用の受け皿（以下玉受け皿と呼ぶ）１４の下にはパチンコ賞品玉用の受け皿１６が設けられ、パチンコ賞品玉用の受け皿１６の側方には発射装置１８が設けられている。
【００１７】
パチンコ玉貸出装置２２は、図２に示すように、本体部分２４、誘導路２８、誘導管３２及びガイド部３４等で構成されている。
本体部分２４は、パチンコ玉貸出装置２２に硬貨を投入することにより、パチンコ遊技機１２の貯留タンク（図示せず）から供給されたパチンコ玉９を回動体２６を介して誘導路２８に排出する部分である。回動体２６は、パチンコ玉９の貯留タンクと誘導路２８との間の通路を構成し、本体部分２４の上下方向（図２のＵ方向又はＤ方向）の軸に対して直角横方向に予め定めた角度回転することができる。直角横方向の回転角度は約９０度である。
【００１８】
誘導路２８は、図４に示すように、本体部分２４から横方向に延出した筒状の部材であり、その先端に開口部を有する端部５６を備えている。誘導路２８の側壁には、誘導路２８を後述の誘導管３２に接続するためのヒンジ４２が設けられている。誘導路２８の断面形状は、図３に示すように、ほぼ矩形でありパチンコ玉９が１個通過することができる程度の大きさに作られている。誘導路２８の底辺２８ｂは後述の誘導管３２の受入部３６から本体部分２４に向かって延在する底部６４に近接した位置をとるように設計されている。即ち、図４（ａ）における誘導路２８の底辺２８ｂと後述の誘導管３２の底部６４との間の間隔ｄ１が０．５〜１．０ｍｍとなるように作られている。
【００１９】
誘導路２８は、予め別部品にて形成しておき、本体部分２４に例えば接着などにより結合することができるが、本体部分２４の回動体２６と一体成形することもできる。
誘導路２８は、例えば、厚さが２〜３ｍｍ程度のプラスチック材等で作られる。
【００２０】
誘導管３２は、図４（ａ）に示すように、誘導路２８の先端の端部５６に隣接して設けられた筒状の部材である。誘導管３２の誘導路２８に近い部分は、誘導路２８を包むような受入部３６で構成されている。受入部３６の断面形状は、図３に示すように、ほぼ矩形でありパチンコ玉９が１個通過することができる程度の大きさに作られている。
【００２１】
受入部３６の上部には、図４（ａ）に示すように、誘導管３２がパチンコ玉９を玉受け皿１４に誘導するための第１位置から上方（図２のＵ方向）に跳ね上げられた予め定める第２位置まで回転することを許容するための切り欠き３８が設けられている。
【００２２】
又、誘導管３２は、前述のように、ヒンジ４２を介して誘導路２８に接続されている。ヒンジ４２は、図３に示すように、円柱状の棒材で誘導路２８及び誘導管３２の側壁部を横方向に貫通している。
ヒンジ４２は、例えば、鉄材またはプラスチック材等で作られる。
【００２３】
なお、ヒンジ４２は側壁を必ずしも貫通する必要はなく、誘導路２８と誘導管３２が回転する軸となるものであれば、いかようなものであっても差し支えない。
従って誘導管３２は、本体部分２４に固定された誘導路２８に対して上方（図２のＵ方向）に跳ね上げることができる。その跳ね上げ角度は７５〜８５度の大きさである。
【００２４】
誘導管３２の底面３２ｂには、下側リブ部４８が備えられている。下側リブ部４８は、図４（ａ）に示すように、誘導管３２がパチンコ玉９をパチンコ遊技機１２の玉受け皿１４に供給する第１位置にある場合、底面３２ｂが誘導路２８の端部５６において、誘導路２８の底辺２８ｂと同じ高さに揃うように作られている。
【００２５】
下側リブ部４８により、誘導管３２の底面３２ｂが誘導路２８の底辺２８ｂと同じ高さに揃うと、誘導管３２の底面３２ｂと誘導路２８の底辺２８ｂとの間に上下方向（図２のＵ方向又はＤ方向）の段差がなくなり、底辺２８ｂから底面３２ｂに流れ移るパチンコ玉９の流れが滑らかになる。さらに、角度を保つこともできる。そのためパチンコ玉９の流れにより生じる振動や騒音が小さくなる。また、誘導管３２がヒンジ４２を中心とした第１位置と第２位置との間の回転途中の位置にある場合、誘導路２８の底辺２８ｂは誘導管３２の後述の底部６４に滑らかに連続する形状となっている。このため、誘導管３２が回転中のどの位置にある場合でもパチンコ玉９が誘導路２８の底辺２８ｂ及び誘導管３２の受入部３６の中で引っかかりを生じることが無く、誘導管３２の中のパチンコ玉９に戻り不良が生じることは無い。なお、下側リブ部４８は上記の高さの調整機能の他に誘導管３２に所要の強度及び剛性を付与している。
【００２６】
誘導管３２の底面３２ｂは、本体部分２４の方向に向かって延在する底部６４を有する。底部６４は、その断面がヒンジ４２を中心とする仮想円の円弧の一部にほぼ等しくなるような形状に成形されている。また、底部６４の本体部分２４に近い方の端部は、図４（ａ）に示すように、誘導路２８の底辺２８ｂに近接するように成形されている。そうすると、誘導管３２がヒンジ４２を中心に回転した場合、誘導路２８の底辺２８ｂと誘導管３２の底部６４との間の間隔ｄ１を予め定めた大きさに保つことができる。即ち、誘導路２８と誘導管３２との間の間隔を予め定めた大きさに保つことができる。この間隔を前述のように０．５〜１．０ｍｍとなるようにすると、誘導管３２の底部６４を誘導路２８の底辺２８ｂに対して近接させることができる。
【００２７】
誘導管３２は、ヒンジ４２を中心とする仮想円に沿って上方（図４（ｂ）のＵ方向側）に回転することができる。誘導管３２が、図４（ｂ）に示すように、予め定めた角度である第２位置まで回転すると、誘導管３２の上側リブ部５８に連接して取り付けられた回転止め４４が誘導路２８の天井面２８ａに当接し、それにより誘導管３２の回転が停止される。上側リブ部５８は回転止め４４による反力を分担する他、誘導管３２に所要の強度及び剛性を付与している。なお、回転止め４４は、誘導管３２の上側リブ部５８と一体成形してもよい。そうすると、パチンコ玉貸出装置の部品点数を減少させることができる。
【００２８】
誘導管３２の第１位置と第２位置との間の回転中のどの回転位置においても誘導路２８の端部５６は、誘導管３２の底部６４によって覆われているためパチンコ玉９が誘導路２８及び誘導管３２の外部に露出しない。そのため、端部５６及び誘導管３２の中へ外部から埃や異物が入ることがない。従って、誘導路２８や誘導管３２の内部及びパチンコ玉９に埃や異物が付着することがない。
【００２９】
誘導管３２は、例えば、厚さが２〜３ｍｍ程度のプラスチック材等で作られる。
ガイド部３４は、誘導管３２の先端に設けられた筒状の部材である。その断面形状は、ほぼ矩形でありパチンコ玉９が１個通過することができる程度の大きさに作られている。ガイド部３４は、図２に示すように、誘導管３２の先端に外側から被せるように作られており、誘導管３２の外側を上下方向（図２のＵ方向又はＤ方向）に摺動することができる。ガイド部３４は、誘導管３２にねじ５４によって取り付けられている。詳細には図示しないが、ガイド部３４の側面に上下方向の長穴を設け、その長穴に取り付けたねじ５４で誘導管３２の外側を上下方向（図２のＵ方向又はＤ方向）に摺動するガイド部３４を固定する。
【００３０】
このように構成すると、誘導管３２の先端部とパチンコ遊技機１２の玉受け皿１４との間の上下方向の距離が大きく離れている場合には、ガイド部３４を誘導管３２に対して下側（図２のＤ方向）に移動させ、誘導管３２の先端部のガイド部３４を玉受け皿１４に近づけ、パチンコ玉９を適切に誘導することができる。また、誘導管３２の先端部とパチンコ遊技機１２の玉受け皿１４との間の上下方向の距離が小さく近接している場合には、ガイド部３４を誘導管３２に対して上方向（図２のＵ方向）に移動させ、誘導管３２の先端部のガイド部を玉受け皿１４から離し、パチンコ玉９を適切に誘導することができる。このようにすると、玉受け皿１４の高さがパチンコ遊技機１２の種類によって異なる場合でも、ガイド部３４の誘導管３２に対する上下方向の位置を調節することによってパチンコ玉貸出装置２２から供給されるパチンコ玉９をパチンコ遊技機１２の玉受け皿１４へこぼれないように誘導することができる。即ち、パチンコ玉貸出装置２２を玉受け皿１４の上下方向の位置が異なる種々のパチンコ遊技機に対して共通に使用することができる。
【００３１】
ガイド部３４は、例えば、厚さが２〜３ｍｍ程度のポリカーボネート材等で作られる。
次に、パチンコ玉貸出装置２２の使用手順について説明する。
図４（ａ）はパチンコ玉貸出装置２２からパチンコ玉９がパチンコ遊技機１２の玉受け皿１４に供給される状態の位置を示している。その後、硬貨を投入すると、投入された金額に応じた所定の数のパチンコ玉９がパチンコ玉貸出装置２２から供給される。供給されたパチンコ玉９は、回動体２６、誘導路２８、誘導管３２及びガイド部３４を通り、パチンコ遊技機１２の玉受け皿１４に誘導される。パチンコ遊技機１２でゲームを行う客は、それらのパチンコ玉９を用いて、ゲームを行うことができる。
【００３２】
遊技中のパチンコ遊技機１２の盤面にパチンコ玉９が引っかかるなど、不良が発生した場合、パチンコ遊技機１２を点検する必要が出てくる。この時、場合によっては、誘導管３２内にパチンコ玉９が残っている場合がある。この時は誘導管３２をヒンジ４２を中心に回転させ、上方に動かすことで、誘導管３２内に残っているパチンコ玉９の重量と、パチンコ玉９を排出するよう押し出す力がバランスして、パチンコ玉９の流れを止める状態を作ることができる。さらに、誘導管３２をヒンジ４２を中心として大きく回転させ、誘導管３２が回転止め４４によりその回転が停止する第２の位置（図４（ｂ）に示す位置）で止めることができる。図４（ｂ）は誘導管３２が予め定めた角度上方に回転され誘導管３２の回転が停止した第２位置を示している。そうすると、誘導管３２が上方に回転しパチンコ玉貸出装置２２の本体部分２４からのパチンコ玉９を押し出す力とパチンコ玉９の重量がバランスしてパチンコ玉９の流れが停止する。誘導管３２の回転が回転止め４４により停止するので、それ以上誘導管３２が上方に回転しない。また、誘導管３２は上側リブ部５８及び下側リブ部４８により充分な強度を有するように作られているので、誘導管３２を更に上方へ回転させようと力を加えても破損することは無い。パチンコ遊技機１２の点検が終わり、パチンコ玉貸出装置２２に残されているパチンコ玉９を用いてゲームを行う場合は、誘導管３２を再び下方（図２のＤ方向）に回転させ誘導管３２が玉受け皿１４の上まで来る第１位置にセットすればよい。そうすると、誘導管３２、誘導路２８、回動体２６及び本体部分２４に残留していたパチンコ玉９が回動体２６、誘導路２８、誘導管３２及びガイド部３４を通ってパチンコ遊技機１２の玉受け皿１４に誘導される。客はそれらのパチンコ玉９を用いてゲームを続行することができる。
【００３３】
尚、本実施例では、パチンコ玉貸出装置２２の誘導管３２は本体部分２４に対して一方向（図１の右方向）のみに横方向に回転するように作られているが、左右両方向に回転させてもよい。それにより、１台のパチンコ玉貸出装置２２で２台のパチンコ遊技機１２にパチンコ玉９を貸し出すこともできる。
【図面の簡単な説明】
【図１】パチンコ遊技機とパチンコ玉貸出装置の関係を示す図である。
【図２】本発明によるパチンコ玉貸出装置を示す図である。
【図３】図２のＡ−Ａ断面を示す部分断面図である。
【図４】図３のＢ−Ｂ断面に沿ったパチンコ玉貸出装置の部分断面図である。
【図５】従来のパチンコ玉貸出装置の誘導管が倒された状態を示す図である。
【図６】従来のパチンコ玉貸出装置の誘導管を上方に回転した状態を示す図である。
【図７】従来のパチンコ玉貸出装置の変更した誘導管を上方に回転した状態を示す図である。
【符号の説明】
９・・・パチンコ玉、１０・・・パチンコ遊技機島台、１２・・・パチンコ遊技機、１４・・・パチンコ景品玉用の受け皿、１６・・・パチンコ賞品球用の受け皿、１８・・・発射装置、２２・・・パチンコ玉貸出装置、２４・・・本体部分、２６・・・回動体、２８・・・誘導路、２８ａ・・・天井面、２８ｂ・・・底辺、３２・・・誘導管、３２ｂ・・・底面、３４・・・ガイド部、３６・・・受入部、３８・・・切り欠き、４２・・・ヒンジ、４４・・・回転止め、４８・・・下側リブ部、５４・・・ねじ、５６・・・端部、５８・・・上側リブ部、６４・・・底部、７２・・・ヒンジ、７４・・・誘導路、７６・・・誘導管、８２・・・ヒンジ、８４・・・誘導路、８６・・・誘導管
【図１】
2004129774.tif 000003
【図２】
2004129774.tif 000004
【図３】
2004129774.tif 000005
【図４】
2004129774.tif 000006
【図５】
2004129774.tif 000007
【図６】
2004129774.tif 000008
【図７】
2004129774.tif 000009